(57)【要約】【課題】演色性が良好で、赤色が高彩度に見える発光装置および照明装置を提供する。【解決手段】実施形態の発光装置は、基板と、前記基板の上に設けられた発光素子と、前記基板の上および前記発光素子の上に設けられ、蛍光体粒子を含む蛍光体層と、を備える。前記発光素子から放出される光と蛍光体層から放出される光とを含む混合色において、相関色温度は、２２００Ｋ以上、３０００Ｋ以下であり、発光強度が最大となる波長は、６４０ｎｍ以上、６８０ｎｍ以下であり、平均演色評価数Ｒａは、９５以上であり、特殊演色評価数Ｒ９は、９０以上である。【選択図】図１
2017059755.tif 000002
【特許請求の範囲】
【請求項１】
基板と、
前記基板の上に設けられた発光素子と、
前記基板の上および前記発光素子の上に設けられ、蛍光体粒子を含む蛍光体層と、
を備え、
前記発光素子から放出される光と蛍光体層から放出される光とを含む混合色において、相関色温度は、２２００Ｋ以上、３０００Ｋ以下であり、発光強度が最大となる波長は、６４０ｎｍ以上、６８０ｎｍ以下であり、平均演色評価数Ｒａは、９５以上であり、特殊演色評価数Ｒ９は、９０以上である発光装置。
【請求項２】
前記発光素子から放出される光の波長は、４３０ｎｍ以上、４７０ｎｍ以下であり、前記蛍光体層は、５００ｎｍ以上、５５０ｎｍ以下の光を放出する第１蛍光体と、６５０ｎｍ以上、６８０ｎｍ以下の光を放出する第２蛍光体と、を含む請求項１記載の発光装置。
【請求項３】
前記光源は、特殊演色評価用の試験色Ｒ９の色票を照らしたときのＬ＊ａ＊ｂ＊表色系のａ＊値と、ｂ＊値と、は、（62，36）、（62，37）、（61，43）、（60，45）、（59，47）、（58，50）、（56，53）、（53，57）、（93，100）、（100，100）、（100，58）の座標で囲まれる領域に存在し、Ｌ＊値は、４４以上である請求項１または２に記載の発光装置。
【請求項４】
本体部と、
請求項１〜３のいずれか１つの発光装置と、
を備えた照明装置。
【発明の詳細な説明】
【技術分野】
【０００１】
本発明の実施形態は、発光装置および照明装置に関する。
【背景技術】
【０００２】
白熱電球に比べて、ＬＥＤ（Light Emitting Device）を用いた発光装置では赤色が相対的に弱くなる場合がある。この対処法として、平均演色評価数Ｒａを高め、演色性を向上させる方法がある。しかし、この方法では、赤色の指標となる特殊演色評価数Ｒ９が低くなる場合がある。また、別の対処法として、黄色光を極端に抑え、赤色を際立たせる方法がある。しかし、この方法では、発光色の演色性が十分に得られず、赤色に特化された不自然な発光色となる。ＬＥＤを用いた発光装置、およびこの発光装置を含む照明装置では、演色性が良好で、赤色が高彩度に見える装置が求められている。
【先行技術文献】
【特許文献】
【０００３】
【特許文献１】特開２０１５−０４１６３３号公報
【発明の概要】
【発明が解決しようとする課題】
【０００４】
本発明が解決しようとする課題は、演色性が良好で、赤色が高彩度に見える発光装置および照明装置を提供することである。
【課題を解決するための手段】
【０００５】
実施形態の発光装置は、基板と、前記基板の上に設けられた発光素子と、前記基板の上および前記発光素子の上に設けられ、蛍光体粒子を含む蛍光体層と、を備える。前記発光素子から放出される光と蛍光体層から放出される光とを含む混合色において、相関色温度は、２２００Ｋ以上、３０００Ｋ以下であり、発光強度が最大となる波長は、６４０ｎｍ以上、６８０ｎｍ以下であり、平均演色評価数Ｒａは、９５以上であり、特殊演色評価数Ｒ９は、９０以上である。
【発明の効果】
【０００６】
本発明において、演色性が良好で、赤色が高彩度に見える発光装置および照明装置が提供される。
【図面の簡単な説明】
【０００７】
【図１】図１は、本実施形態に係る照明装置の模式的断面図である。
【図２】図２は、本実施形態の発光装置に係るＬ＊ａ＊ｂ＊表色系座標のａ＊値とｂ＊値との領域を表すグラフ図である。
【図３】図３（ａ）は、第１実施例に係る発光装置の演色評価数と、第１参考例に係る発光装置の分光分布と、を表すグラフ図である。図３（ｂ）は、第１実施例の分光分布および第２参考例の分光分布のそれぞれから計算した特殊演色評価用の試験色Ｒ９の色票を照らしたときのＬ＊ａ＊ｂ＊表色系のａ＊値とｂ＊値を表すグラフ図である。図３（ｃ）は、第１実施例の分光分布および第２参考例の分光分布のそれぞれから計算した特殊演色評価用の試験色Ｒ９の色票を照らしたときのＬ＊ａ＊ｂ＊表色系のａ＊値とｂ＊値とＬ＊値を表す表図である。
【図４】図４は、第１実施例に係る発光装置の分光分布と、第１参考例に係る発光装置の分光分布と、を表すグラフ図である。
【図５】図５（ａ）は、第２実施例に係る発光装置の演色評価数と、第２参考例に係る発光装置の分光分布と、を表すグラフ図である。図５（ｂ）は、第２実施例の分光分布および第２参考例の分光分布のそれぞれから計算した特殊演色評価用の試験色Ｒ９の色票を照らしたときのＬ＊ａ＊ｂ＊表色系のａ＊値とｂ＊値を表すグラフ図である。図５（ｃ）は、第２実施例の分光分布および第２参考例の分光分布のそれぞれから計算した特殊演色評価用の試験色Ｒ９の色票を照らしたときのＬ＊ａ＊ｂ＊表色系のａ＊値とｂ＊値とＬ＊値を表す表図である。
【図６】図６は、第２実施例に係る発光装置の分光分布と、第２参考例に係る発光装置の分光分布と、を表すグラフ図である。
【図７】図７（ａ）は、第３実施例に係る発光装置の演色評価数と、第３参考例に係る発光装置の分光分布と、を表すグラフ図である。図７（ｂ）は、第３実施例の分光分布および第３参考例の分光分布のそれぞれから計算した特殊演色評価用の試験色Ｒ９の色票を照らしたときのＬ＊ａ＊ｂ＊表色系のａ＊値とｂ＊値を表すグラフ図である。図７（ｃ）は、第３実施例の分光分布および第３参考例の分光分布のそれぞれから計算した特殊演色評価用の試験色Ｒ９の色票を照らしたときのＬ＊ａ＊ｂ＊表色系のａ＊値とｂ＊値とＬ＊値を表す表図である。
【図８】図８は、第３実施例に係る発光装置の分光分布と、第３参考例に係る発光装置の分光分布と、を表すグラフ図である。
【発明を実施するための形態】
【０００８】
以下、図面を参照しつつ、実施形態について説明する。以下の説明では、同一の部材には同一の符号を付し、一度説明した部材については適宜その説明を省略する。
【０００９】
図１は、本実施形態に係る照明装置の模式的断面図である。
【００１０】
図１に示す照明装置１０は、例えば、電球形ランプである。照明装置１０は、本体部１１の一端に、発光装置２０とグローブ１３とが設けられている。本体部１１の他端には、口金１４が設けられている。本体部１１の内部には、電源回路１５が収容されている。
【００１１】
発光装置２０は、基板１７と、複数の発光素子１９と、蛍光体層１２と、バンク部１８と、を備える。発光装置２０においては、基板１７の上に複数の発光素子としてのＬＥＤチップが実装され、ＬＥＤチップが蛍光体層１２によって封止されている。発光装置２０は、所謂、ＣＯＢ（Chip On Board）モジュールである。照明装置１０は、電球形ランプに限らず、例えば照明器具等でもよい。この場合、本体部１１は、発光装置２０を取り付ける器具本体部となる。
【００１２】
基板１７は、板状基板である。ここで、基板１７の主面に対して平行な１つの方向をＸ軸方向とする。基板１７の主面に対して平行で、Ｘ軸方向に対して垂直な方向をＹ軸方向とする。Ｘ軸方向及びＹ軸方向に対して垂直な方向をＺ軸方向とする。Ｚ軸方向は、換言すれば、上下方向である。
【００１３】
基板１７の主面に対して平行な平面（Ｘ−Ｙ平面）に基板１７を投影した形状は、例えば、正方形状である。すなわち、基板１７をＺ軸方向に見た形状は、例えば、正方形状である。基板１７の形状は、正方形に限ることなく、他の多角形でもよいし、円形や楕円形などでもよい。基板１７には、例えば、セラミックなどが用いられる。基板１７には、配線パターンが設けられている。
【００１４】
複数の発光素子１９は、例えば、基板１７の上に二次元マトリクス状に並べられる。発光素子１９としては、例えば、ＬＥＤ（Light Emitting Diode）チップが用いられる。発光素子１９は、基板１７上の配線パターンに実装されている。外部から配線パターンを通じて発光素子１９に電力が供給されると、発光素子１９は、例えば、青色光を発する。発光素子１９から放出される光の波長は、４３０ｎｍ以上、４７０ｎｍ以下である。
【００１５】
蛍光体層１２は、基板１７の上および発光素子１９の上に設けられている。蛍光体層１２は、発光素子１９から照射される光に対して透過性である。蛍光体層１２には、例えば、透明なシリコーン樹脂が用いられる。また、蛍光体層１２は、例えば、蛍光体粒子を含む。蛍光体層１２には、例えば、複数の蛍光体粒子が分散されている。
【００１６】
蛍光体層１２は、例えば、光透過性の樹脂と、この樹脂に分散された複数の蛍光体粒子と、を含む。蛍光体粒子には、例えば、緑色、赤色等の複数色の光を放出する蛍光体が用いられる。例えば、蛍光体層１２には、第１蛍光体と、第２蛍光体と、を含む。第１蛍光体および第２蛍光体のそれぞれは、発光素子１９から放出された光の一部を吸収して、発光素子１９から放出される光とは異なる波長の光を放出する。
【００１７】
第１蛍光体は、５００ｎｍ以上、５５０ｎｍ以下の光（緑色光）を放出する。第１蛍光体は、例えば、ＬＡＧ系蛍光体を含む。第２蛍光体は、６５０ｎｍ以上、６８０ｎｍ以下の光（赤色光）を放出する。第２蛍光体は、例えば、より長波長側の赤色を放出するＣＡＳＮ系蛍光体を含む。
【００１８】
バンク部１８は、基板１７の上に設けられている。バンク部１８は、複数の発光素子１９を囲む。バンク部１８は、蛍光体層１２に接し、蛍光体層１２を封止する領域を決定する。バンク部１８は、樹脂材料を含む。バンク部１８には、例えば、シリコーン樹脂などが用いられる。バンク部１８は、必要に応じて設けられ、省略可能である。
【００１９】
発光素子１９から放出される光と蛍光体層１２から放出される光とを含む混合色、すなわち、発光装置２０の発光光において、相関色温度は、２２００Ｋ以上、３０００Ｋ以下である。この発光光の発光強度が最大となる波長は、６４０ｎｍ以上、６８０ｎｍ以下である。この発光光の平均演色評価数Ｒａは、９５以上、１００以下である。この発光光の特殊演色評価数Ｒ９は、９０以上、１００以下である。
【００２０】
図２は、本実施形態の発光装置に係るＬ＊ａ＊ｂ＊表色系座標のａ＊値とｂ＊値との領域を表すグラフ図である。
【００２１】
図２に表すように、発光装置２０は、特殊演色評価用の試験色Ｒ９の色票を照らしたときのＬ＊ａ＊ｂ＊表色系のａ＊値とｂ＊値がB1（62，36）、B2（62，37）、B3（61，43）、B4（60，45）、B5（59，47）、B6（58，50）、B7（56，53）、B8（53，57）、B9（93，100）、B10（100，100）、B11（100，58）の座標で囲まれるａ＊ｂ＊領域Ｂに含まれている。ここで、特殊演色評価用の試験色Ｒ９の色票を照らしたときのＬ＊ａ＊ｂ＊表色系のａ＊値とｂ＊値とは、特殊演色評価用の試験色Ｒ９の色票をＬ＊ａ＊ｂ＊表色系で表したときのＬ＊ａ＊ｂ＊表色系のａ＊値とｂ＊値を意味する。さらに、Ｌ＊値は、４４以上である。なお、B2〜B7は図示を省略する。また、ａ＊ｂ＊領域Ｂの点線は、１８００Ｋから３８００Ｋの黒体放射の光で試験色Ｒ９の色票を照らしたときのａ＊値およびｂ＊値の座標である。
【００２２】
ａ＊値は大きいほど赤系の色の彩度が向上し、ｂ＊値は大きいほど黄系の色の彩度が向上し、つまり、ａ＊値とｂ＊値は原点から離れるほど彩度が向上する。ａ＊ｂ＊領域Ｂは、赤色の彩度が黒体照射の光よりも高い光の領域である。つまり、赤色が際立って見える領域である。このような発光装置２０の特性は、ＣＯＢモジュールの蛍光体層１２に含有する赤色蛍光体等の蛍光体の種類や配合によって調整することができる。
【００２３】
発光装置２０のより具体的な例を以下に説明する。  
図３（ａ）は、第１実施例に係る発光装置の演色評価数と、第１参考例に係る発光装置の分光分布と、を表すグラフ図である。  
図３（ｂ）は、第１実施例の分光分布および第２参考例の分光分布のそれぞれから計算した特殊演色評価用の試験色Ｒ９の色票を照らしたときのＬ＊ａ＊ｂ＊表色系のａ＊値とｂ＊値を表すグラフ図である。  
図３（ｃ）は、第１実施例の分光分布および第２参考例の分光分布のそれぞれから計算した特殊演色評価用の試験色Ｒ９の色票を照らしたときのＬ＊ａ＊ｂ＊表色系のａ＊値とｂ＊値とＬ＊値を表す表図である。  
図４は、第１実施例に係る発光装置の分光分布と、第１参考例に係る発光装置の分光分布と、を表すグラフ図である。
【００２４】
図３（ａ）に表すように、第１実施例に係る発光装置２０および第１参考例の発光装置において、平均演色評価数Ｒａと、特殊演色評価数Ｒ１〜Ｒ８、Ｒ１０〜Ｒ１５と、は、略同じ値を示している。しかし、特殊演色評価数Ｒ９は、第１実施例に係る発光装置２０および第１参考例の発光装置において、著しい差が生じている。
【００２５】
例えば、第１実施例に係る発光装置２０において、相関色温度は、２８００Ｋ、平均演色評価数Ｒａは、９７．０、特殊演色評価数Ｒ９は、９３．０、Ｌ＊値は、４８．２、ａ＊値は、６１．８、ｂ＊値は、４３．４である（図３（ｃ））。これにより、第１実施例に係る発光装置２０は、ａ＊ｂ＊領域Ｂに含まれる。
【００２６】
一方、第１参考例の発光装置では、相関色温度は、２８００Ｋ、平均演色評価数Ｒａは、９７．０、特殊演色評価数Ｒ９は、８１．０、Ｌ＊値は、４７．５、ａ＊値は、５９．８、ｂ＊値は、４２．３である（図３（ｃ））。これにより、第１参考例の発光装置は、ａ＊ｂ＊領域Ｂに含まれず、Ｌ＊ａ＊ｂ＊表色系座標の原点に近い方向に外れている。第１参考例の発光装置では、例えば、第２蛍光体として、より長波長側の赤色を放出するＣＡＳＮではなく、より短波長側の赤色を放出するＣＡＳＮを用いている。
【００２７】
また、図４に、第１実施例および第１参考例の発光スペクトルを示す。この発光スペクトルにおいては、発光素子１９から発せられた青色光の波長領域（４３０ｎｍ以上、４７０ｎｍ以下）にピークがあり、青色光よりも長波長側に青色光よりも大きなピークがある。この大きなピークは、第１蛍光体から放出された緑色光（５００ｎｍ以上、５５０ｎｍ以下）と、第２蛍光体から放出された赤色光（６５０ｎｍ以上、６８０ｎｍ以下）とが重なって形成された光のピークである。図４に表すように、第１実施例の発光分布は、第１参考例の発光分布に比べて、５３０ｎｍ以上の波長域において長波長側にシフトしている。換言すれば、第１実施例は、５３０ｎｍから発光強度が最大となる波長までの波長域が第１参考例に比べて、相対的に低くなっている。
【００２８】
第１実施例も第１参考例も赤色光を発する蛍光体としてはＣＡＳＮを使用している。それぞれの発光スペクトルについては、波長５３０ｎｍ付近および波長６３０ｎｍ付近にあるピークを結んだ直線に対して、スペクトル波形は下に凹んでいる。このスペクトル波形の凹みの深さは、第１参考例に比べて第１実施例の方が大きくなっている。これは、第１実施例の方が第１参考例よりも長波長側に発光ピークを有するＣＡＳＮを使用しているためであり、このような特殊な蛍光体を使用することによってａ＊値と、ｂ＊値と、を領域Ｂ内に入れることが可能になる。
【００２９】
この結果は、ａ＊ｂ＊領域Ｂに含まれる条件を満たすａ＊値とｂ＊値を決定する分光分布の形状には、５３０ｎｍから発光強度が最大となる波長までの波長域の相対的な強度が深く関与していることを示唆している。
【００３０】
このように、第１実施例の発光装置２０は、良好な演色性を示すとともに、ａ＊値とｂ＊値とがＬ＊ａ＊ｂ＊表色系のａ＊ｂ＊領域Ｂに含まれ、第１参考例の発光装置よりも、赤色を高彩度に見せることができる。
【００３１】
図５（ａ）は、第２実施例に係る発光装置の演色評価数と、第２参考例に係る発光装置の分光分布と、を表すグラフ図である。  
図５（ｂ）は、第２実施例の分光分布および第２参考例の分光分布のそれぞれから計算した特殊演色評価用の試験色Ｒ９の色票を照らしたときのＬ＊ａ＊ｂ＊表色系のａ＊値とｂ＊値を表すグラフ図である。  
図５（ｃ）は、第２実施例の分光分布および第２参考例の分光分布のそれぞれから計算した特殊演色評価用の試験色Ｒ９の色票を照らしたときのＬ＊ａ＊ｂ＊表色系のａ＊値とｂ＊値とＬ＊値を表す表図である。  
図６は、第２実施例に係る発光装置の分光分布と、第２参考例に係る発光装置の分光分布と、を表すグラフ図である。
【００３２】
図５（ａ）に表すように、第２実施例に係る発光装置２０および第２参考例の発光装置において、平均演色評価数Ｒａと、特殊演色評価数Ｒ１〜Ｒ８、Ｒ１０〜Ｒ１５と、は、略同じ値を示している。しかし、特殊演色評価数Ｒ９は、第２実施例に係る発光装置２０および第２参考例の発光装置において、著しい差が生じている。
【００３３】
例えば、第２実施例に係る発光装置２０において、相関色温度は、２５００Ｋ、平均演色評価数Ｒａは、９６．０以上、特殊演色評価数Ｒ９は、９５．０、Ｌ＊値は、５０．１、ａ＊値は、６０．７、ｂ＊値は、４６．８である（図５（ｃ））。これにより、第２実施例に係る発光装置２０は、ａ＊ｂ＊領域Ｂに含まれる。
【００３４】
一方、第２参考例の発光装置では、相関色温度は、２５００Ｋ、平均演色評価数Ｒａは、９７．０、特殊演色評価数Ｒ９は、７７．０、Ｌ＊値は、４９．３、ａ＊値は、５８．５、ｂ＊値は、４５．５である（図５（ｃ））。これにより、第２参考例の発光装置は、ａ＊ｂ＊領域Ｂに含まれず、Ｌ＊ａ＊ｂ＊表色系座標の原点に近い方向に外れている。第２参考例の発光装置では、例えば、第２蛍光体として、より長波長側の赤色を放出するＣＡＳＮではなく、より短波長側の赤色を放出するＣＡＳＮを用いている。
【００３５】
また、図６に表すように、第２実施例の発光分布は、第２参考例の発光分布に比べて、５３０ｎｍ以上の波長域において長波長側にシフトしている。換言すれば、第２実施例は、５３０ｎｍから発光強度が最大となる波長までの波長域が第２参考例に比べて、相対的に低くなっている。
【００３６】
このように、第２実施例の発光装置２０は、良好な演色性を示すとともに、ａ＊値とｂ＊値とがＬ＊ａ＊ｂ＊表色系のａ＊ｂ＊領域Ｂに含まれ、第２参考例の発光装置よりも、赤色を高彩度に見せることができる。
【００３７】
図７（ａ）は、第３実施例に係る発光装置の演色評価数と、第３参考例に係る発光装置の分光分布と、を表すグラフ図である。  
図７（ｂ）は、第３実施例の分光分布および第３参考例の分光分布のそれぞれから計算した特殊演色評価用の試験色Ｒ９の色票を照らしたときのＬ＊ａ＊ｂ＊表色系のａ＊値とｂ＊値を表すグラフ図である。  
図７（ｃ）は、第３実施例の分光分布および第３参考例の分光分布のそれぞれから計算した特殊演色評価用の試験色Ｒ９の色票を照らしたときのＬ＊ａ＊ｂ＊表色系のａ＊値とｂ＊値とＬ＊値を表す表図である。  
図８は、第３実施例に係る発光装置の分光分布と、第３参考例に係る発光装置の分光分布と、を表すグラフ図である。
【００３８】
図７（ａ）に表すように、第３実施例に係る発光装置２０および第３参考例の発光装置において、平均演色評価数Ｒａと、特殊演色評価数Ｒ１〜Ｒ８、Ｒ１０〜Ｒ１５と、は、略同じ値を示している。さらに、特殊演色評価数Ｒ９は、第３実施例に係る発光装置２０および第３参考例の発光装置において、著しい差が生じている。
【００３９】
例えば、第３実施例に係る発光装置２０において、相関色温度は、２３００Ｋ、平均演色評価数Ｒａは、９５．０、特殊演色評価数Ｒ９は、９２．０、Ｌ＊値は、５１．１、ａ＊値は、６０．０、ｂ＊値は、４８．７である（図７（ｃ））。これにより、第３実施例に係る発光装置２０は、ａ＊ｂ＊領域Ｂに含まれる。
【００４０】
一方、第３参考例の発光装置では、相関色温度は、２５００Ｋ、平均演色評価数Ｒａは、９７．０、特殊演色評価数Ｒ９は、７９．０、Ｌ＊値は、５０．６、ａ＊値は、５７．７、ｂ＊値は、４７．３である（図７（ｃ））。これにより、第３参考例の発光装置は、ａ＊ｂ＊領域Ｂに含まれず、Ｌ＊ａ＊ｂ＊表色系座標の原点に近い方向に外れている。第３参考例の発光装置では、例えば、第２蛍光体として、より長波長側の赤色を放出するＣＡＳＮではなく、より短波長側の赤色を放出するＣＡＳＮを用いている。
【００４１】
また、図８に表すように、第３実施例の発光分布は、第３参考例の発光分布に比べて、５３０ｎｍ以上の波長域において長波長側にシフトしている。換言すれば、第３実施例は、５３０ｎｍから発光強度が最大となる波長までの波長域が第３参考例に比べて、相対的に低くなっている。
【００４２】
このように、第３実施例の発光装置２０は、良好な演色性を示すとともに、ａ＊値とｂ＊値とがＬ＊ａ＊ｂ＊表色系のａ＊ｂ＊領域Ｂに含まれ、第３参考例の発光装置よりも、赤色を高彩度に見せることができる。
【００４３】
本実施形態においては、例えば、発光装置として、ＳＭＤ（Surface Mount Device）タイプのＬＥＤや有機ＥＬ等の発光素子を用いてもよい。発光装置における光色実現方法は、青色光源＋蛍光体、青色光源＋蛍光体＋赤光源、青色光源＋蛍光体＋緑光源、青色光源＋蛍光体＋青光源、赤光源＋緑光源＋青光源、紫外線（近紫外線も含む）＋蛍光体、２種類以上の白色光源＋赤光源、２種類以上の白色光源＋緑光源、２種類以上の白色光源＋青光源、２種類以上の白色光源＋赤光源＋緑光源、２種類以上の白色光源＋赤光源＋青光源、２種類以上の白色光源＋緑光源＋青光源、２種類以上の白色光源＋赤光源＋緑光源＋青光源、熱放射等でもよい。ここで、「＋」は、「＋」の左右に表記されているものを組み合わせることを意味する。
【００４４】
以上、具体例を参照しつつ実施形態について説明した。しかし、実施形態はこれらの具体例に限定されるものではない。すなわち、これら具体例に、当業者が適宜設計変更を加えたものも、実施形態の特徴を備えている限り、実施形態の範囲に包含される。前述した各具体例が備える各要素およびその配置、材料、条件、形状、サイズなどは、例示したものに限定されるわけではなく適宜変更することができる。
【００４５】
また、前述した各実施形態が備える各要素は、技術的に可能な限りにおいて複合させることができ、これらを組み合わせたものも実施形態の特徴を含む限り実施形態の範囲に包含される。その他、実施形態の思想の範疇において、当業者であれば、各種の変更例および修正例に想到し得るものであり、それら変更例および修正例についても実施形態の範囲に属するものと了解される。
【００４６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４７】
１０  照明装置、  １１  本体部、  １２  蛍光体層、  １３  グローブ、  １４  口金、  １５  電源回路、  １７  基板、  １８  バンク部、  １９  発光素子、  ２０  発光装置
【図１】
2017059755.tif 000003
【図２】
2017059755.tif 000004
【図３】
2017059755.tif 000005
【図４】
2017059755.tif 000006
【図５】
2017059755.tif 000007
【図６】
2017059755.tif 000008
【図７】
2017059755.tif 000009
【図８】
2017059755.tif 000010